(57)【要約】【課題】移動受信機において、デジタルテレビ放送の放送信号の受信を中断せずに、受信可能な放送局を自動的にプリセットできるようにすることである。【解決手段】予めメモリに保持してある放送局情報テーブル１７のＮ番目の放送局の基地局座標を取得する（図２、Ｓ１４）。Ｎ番目の放送局の基地局座標と、カーナビゲーションシステムから取得した現在位置座標から、移動受信機１１からＮ番目の放送局の基地局までの距離を計算する（Ｓ１５）。距離が指定した半径以内であれば（Ｓ１６、ＹＥＳ）、Ｎ番目の放送局を受信可能な放送局としてメモリにプリセットする（Ｓ１８）。放送局情報テーブル１７に登録されている全ての放送局に対して上記の処理を実行する。【選択図】      図２
2009089280.tif 000002
【特許請求の範囲】
【請求項１】
デジタルテレビ放送の放送信号を受信する移動受信機であって、
位置情報取得装置から現在位置情報を取得する取得手段と、
複数の放送局の基地局の位置情報を記憶する基地局位置情報記憶手段と、
前記複数の基地局の位置情報と前記現在位置情報により現在位置から一定距離内に基地局が存在する放送局を特定し、特定した放送局を受信可能な放送局として設定するプリセット手段とを備える移動受信機。
【請求項２】
前記基地局位置情報記憶手段は、放送局の基地局の位置情報と放送局名とを対応付けた情報を記憶する請求項１記載の移動受信機。
【請求項３】
前記位置情報取得装置は、衛星から送信される信号を受信して現在位置情報を取得するＧＰＳ装置であり、前記ＧＰＳ装置を有する携帯型の機器である請求項１または２記載の移動受信機。
【請求項４】
デジタルテレビ放送の放送信号を受信する移動受信機の放送局のプリセット方法であって、
位置情報取得装置から現在位置情報を取得し、
複数の放送局の基地局の位置情報を記憶手段に記憶し、
前記複数の基地局の位置情報と前記現在位置情報により現在位置から一定距離内に基地局が存在する放送局を特定し、特定した放送局を受信可能な放送局として設定する移動受信機の放送局のプリセット方法。
【発明の詳細な説明】
【技術分野】
【０００１】
本発明は、デジタルテレビ放送の放送信号を受信する移動受信機及びその移動受信機の放送局のプリセット方法に関する。
【背景技術】
【０００２】
車載用のラジオ受信機では、車両が移動して放送局の電波の受信可能エリア外となった場合に、受信可能な放送局の周波数に切り換える必要がある。従来、視聴開始前にチューナの同調周波数を切り替えながら放送波を受信し、放送波が検出されたときに、その周波数を内部の記憶装置に記憶することで放送局をプリセットする方法が知られている。
【０００３】
また、県単位などのエリア毎に受信可能な放送局の周波数を予め受信機内部に保持しておき、ユーザがエリアを選択することでそのエリアで受信可能な放送局を自動的にプリセットする方法が知られている。
【０００４】
しかしながら、前者の方法は、車両の移動とともに受信可能な放送局が入れ替わるので、その都度受信可能な放送局をサーチする必要があり、放送局のサーチ時にはラジオ放送の受信を中断する必要があった。
【０００５】
後者の方法は、ユーザがエリアを切り替える操作を行う必要があり、操作が煩雑である。さらに、エリアが県単位等で固定的に決められているので、実際に受信可能な放送局があっても、エリア外の放送局はプリセットされないという不都合もある。
【０００６】
最近では、デジタルテレビの放送信号を受信する車載用の受信機が実用化されており、この車載用の受信機においても、視聴を中断せずに受信可能な放送局を自動的にプリセットできることが望まれている。
【０００７】
特許文献１には、ラジオ受信機において、車両の現在位置を検出し、現在位置と放送局の距離と放送局の送信電力に基づいて受信電界強度を算出し、受信電界強度の強い順に放送局をプリセットすることが記載されている。
【０００８】
特許文献２には、ナビゲーション装置のＣＤ−ＲＯＭに地図データと共に、ＦＭ放送局の位置を示す放送局データを記憶しておき、ＦＭ受信機によりＦＭ多重放送により送られている系列放送局情報を受信し、車両の現在位置と各系列放送局の距離を算出して、距離が近い順に優先順位をつけて系列放送局情報を並べ替え、その並べ替えた系列放送局情報をＦＭラジオ受信機に記憶しておくことが記載されている。
【０００９】
上記の特許文献２の発明は、ＦＭ放送の受信状態が悪くなった場合に、特定のＦＭ放送局の系列放送局の中で受信状態が良好な系列放送局を見つけることを目的としたものであり、デジタルテレビ放送の視聴を中断せずに受信可能な放送局を自動的にプリセットすることを示唆するものではない。
【特許文献１】特開平９−１３５１８４号公報
【特許文献２】特開２０００−１１５００４号公報
【発明の開示】
【発明が解決しようとする課題】
【００１０】
本発明の課題は、移動受信機において、デジタルテレビ放送の放送信号の受信を中断することなく、受信可能な放送局を自動的にプリセットできるようにすることである。
【課題を解決するための手段】
【００１１】
本発明の移動受信機は、デジタルテレビ放送の放送信号を受信する移動受信機であって、位置情報取得装置から現在位置情報を取得する取得手段と、複数の放送局の基地局の位置情報を記憶する基地局位置情報記憶手段と、前記複数の基地局の位置情報と前記現在位置情報に基づいて現在位置から一定距離内に基地局が存在する放送局を特定し、特定した放送局を受信可能な放送局として設定するプリセット手段とを備える。
【００１２】
この発明によれば、デジタルテレビ放送の放送信号の受信を中断せずに、受信可能な放送局を自動的にプリセットすることができる。
上記の発明の移動受信機において、前記基地局位置情報記憶手段は、複数の放送局の基地局の位置情報と放送局名とを対応付けた情報を記憶する。
【００１３】
このように構成することで現在位置情報と基地局の位置情報から両者の距離を算出し、一定距離以内にある放送局の基地局を特定し、それらの放送局を受信可能な放送局としてメモリ等にプリセットすることができる。
【００１４】
上記の発明の移動受信機において、前記位置情報取得装置は衛星から送信される信号を受信して現在位置情報を取得するＧＰＳ装置であり、前記ＧＰＳ装置を有する携帯型の機器である。
【００１５】
このように構成することで、ＧＰＳから受信する位置情報に基づいて受信可能なデジタルテレビ放送の放送局を特定し、その放送局を自動的にプリセットすることができる携帯型の機器を実現できる。
【発明の効果】
【００１６】
本発明によれば、車両等が移動する際に、デジタルテレビ放送の放送信号を受信しながら受信可能な放送局をプリセットすることができる。
【発明を実施するための最良の形態】
【００１７】
以下、本発明の好適な実施の形態について説明する。図１は、実施の形態の移動受信機１１のブロック図である。この移動受信機１１は、例えば、デジタルテレビ放送の放送信号を受信する車載用受信機である。
【００１８】
移動受信機１１は、チューナ１２と書き換え不可能なメモリ１３と書き換え可能なメモリ１４とを有する。書き換え不可能なメモリ１３は、例えば、ＲＯＭからなり、書き換え可能なメモリ１４は、データが書き換え可能で、電源オフ時にもデータを保持するフラッシュメモリ等からなる。
【００１９】
チューナ１２は、アンテナ１５で受信される放送信号を復調して映像及び音声信号を、図示しない表示装置に出力する。チューナ１２は、図示しない制御部を有し、制御部がカーナビゲーション装置（位置情報取得装置）１６から現在位置情報を取得すると共に、書き換え不可能なメモリ１３から放送局の基地局の座標データを取得して、現在位置から一定距離内にある放送局を特定する。そして、その放送局を受信可能な放送局として書き換え可能なメモリ１４にプリセットする。
【００２０】
書き換え不可能なメモリ１３には、放送局の基地局の座標データと、チャンネル番号と、放送局名を対応付けた放送局情報テーブル１７が格納されている。放送局情報テーブル１７の１番目には、例えば、ＡＡＡ放送局の基地局の座標（Ｘａ，Ｙａ）と、チャンネル番号「１３」と、放送局名であるＡＡＡ放送局が対応付けて記憶されている。放送局情報テーブル１７の２番目には、ＢＢＢ放送局の基地局の座標（Ｘｂ，Ｙｂ）と、チャンネル番号「１５」と、放送局名であるＢＢＢ放送局が対応付けて記憶されている。放送局情報テーブル１７の３番目には、ＣＣＣ放送局の基地局の座標（Ｘｃ，Ｙｃ）と、チャンネル番号「１７」と、放送局名であるＣＣＣ放送局が対応付けて記憶されている。以下、同様に複数の放送局の基地局の座標とチャンネル番号と放送局名が対応付けて記憶されている。
【００２１】
書き換え可能なメモリ１４には、後述するプリセット処理により設定される放送局名が記憶される。
図２は、移動受信機１１における放送局のプリセット処理のフローチャートである。以下の処理は、移動受信機１１の図示しない制御部により実行される。
【００２２】
最初に、カーナビゲーションシステム（カーナビゲーション装置１６）から現在位置情報を取得する（図２、Ｓ１１）。
次に、放送局情報テーブル１７のデータを指定するカウンタＮの値として「０」を設定する（Ｓ１２）。次に、カウンタＮの値が放送局情報テーブル１７に登録されているデータの最大数より大きいか否かを判別する（Ｓ１３）。放送局情報テーブル１７は、放送局名と、チャンネル番号と、基地局の座標を対応付けたテーブルであり、図１の書き換え不可能なメモリ１３に格納されている。
【００２３】
カウンタＮの値が放送局情報テーブル１７に登録されているデータの最大数と等しいか、それより小さいときには（Ｓ１３、ＮＯ）、ステップ１４に進み、予め保持してある放送局情報テーブル１７のＮ番目の放送局の基地局座標を取得する。
【００２４】
他方、カウンタＮの値が最大数より大きいときには（Ｓ１３、ＹＥＳ）、放送局情報テーブル１７に登録されている全ての放送局のデータの読み出しが終了したときであるので、そこで処理を終了する。
【００２５】
放送局情報テーブル１７から取得したＮ番目の放送局の基地局座標と、カーナビゲーション装置１６から取得した現在位置座標から、移動受信機１１からＮ番目の放送局の基地局までの距離を計算する（Ｓ１５）。
【００２６】
次に、ステップ１５で算出した距離が予め指定した半径以内か否かを判別する（Ｓ１６）。
特定の放送局の基地局から移動受信機１１までの距離が予め指定した半径以上のときには（Ｓ１６、ＮＯ）、ステップ１７に進み、カウンタＮの値に「１」を加算してステップ１３に戻る。カウンタＮの値に「１」を加算することで放送局情報テーブル１７の次の放送局の基地局座標が指定されるので、その基地局座標に対して上述した処理を繰り返す。
【００２７】
放送局の基地局から移動受信機１１までの距離が指定した半径以内と判定されたときには（Ｓ１６、ＹＥＳ）、ステップ１８に進み、カウンタＮで指定される放送局名を受信可能な放送局として書き換え可能なメモリ１４にプリセットする。その後、ステップ１７に進み、カウンタＮの値に「１」加算した後、カウンタＮの値が最大数より大きくなるまで上述した処理を繰り返す。
【００２８】
ここで、車両が移動することで移動受信機１１で受信可能な放送局が変化する場合の放送局のプリセット動作を、図３を参照して説明する。
図３において、受信局（移動受信機１１）を中心とする実線で示される円は受信可能なエリアを示し、破線は県境を示す。
【００２９】
車両に搭載された受信局が、図３の座標（Ｘ１，Ｙ１）の位置まで移動すると、放送局情報テーブル１７を参照して各放送局の基地局の座標データを取得して受信局から各基地までの距離を算出する。そして、距離が一定値以内の放送局を、デジタルテレビの放送信号が受信可能な放送局として特定し、それらの放送局を書き換え可能なメモリ１４にプリセットする。
【００３０】
本実施の形態においては、以下のようにして受信局から一定距離以内にある放送局を書き換え可能なメモリ１４にプリセットする。
放送局情報テーブル１７からＵ県にあるＡＡＡ放送局の基地局の座標（Ｘａ，Ｙａ）を取得し、その座標と現在位置座標（Ｘ１，Ｙ１）から両者の距離を計算する。そして、ＡＡＡ放送局の基地局が、視聴者が予め設定した半径ＸＸｋｍ以内に存在するか否かを判定する。この場合、図３に示すように、受信局からＡＡＡ放送局の基地局までの距離は、ＸＸｋｍ以内であるので、ＡＡＡ放送局が受信可能な放送局として書き換え可能なメモリ１４にプリセットされる。
【００３１】
同様に、放送局情報テーブル１７に登録されているＢＢＢ放送局の基地局座標（Ｘｂ，Ｙｂ）を取得し、その座標と現在位置座標（Ｘ１，Ｙ１）から両者の距離を算出する。そして、算出した距離がＸＸｋｍ以内か否かを判定する。この場合、受信局からＢＢＢ放送局の基地局までの距離はＸＸｋｍ以内であるので、ＢＢＢ放送局が受信可能な放送局として書き換え可能なメモリ１４にプリセットされる。
【００３２】
同様に、放送局情報テーブル１７から隣の県のＶ県にあるＣＣＣ放送局の基地局の基地局座標（Ｘｃ，Ｙｃ）を取得し、その座標と現在位置座標（Ｘ１，Ｙ１）から両者の距離を計算する。計算により得られた距離がＸＸｋｍ以内のときには、Ｖ県にあるＣＣＣ放送局が、受信可能な放送局として書き換え可能なメモリ１４にプリセットされる。
【００３３】
この場合、上記のＡＡＡ放送局、ＢＢＢ放送局、ＣＣＣ放送局以外の他の放送局の基地局までの距離はＸＸｋｍ以上であるので、それらの放送局はプリセットされない。
このように車両が現在走行中のＵ県にある放送局に限らず、受信局からの距離がＸＸｋｍ以内である隣のＶ県にあるＣＣＣ放送局も受信可能な放送局として自動的にプリセットされる。これらの放送局のプリセット動作をデジタルテレビ放送の視聴を中断せずに行うことができる。
【００３４】
次に、車両がＶ県の座標（Ｘ２，Ｙ２）の位置まで移動すると、上記と同様に放送局情報テーブル１７に登録されている各放送局の基地局の座標データを参照して、受信局から一定距離以内にある放送局を特定する。
【００３５】
放送局情報テーブル１７からＶ県にあるＤＤＤ放送局の基地局の座標（Ｘｄ，Ｙｄ）を取得し、その座標と現在位置座標（Ｘ２，Ｙ２）から両者の距離を算出し、距離がＸＸｋｍ以内か否かを判定する。この場合、受信局からＤＤＤ放送局の基地局までの距離はＸＸｋｍ以内であるので、ＤＤＤ放送局が受信可能な放送局として書き換え可能なメモリ１４にプリセットされる。
【００３６】
同様に、放送局情報テーブル１７からＶ県にあるＣＣＣ放送局の基地局の座標（Ｘｃ，Ｙｃ）を取得し、その座標と現在位置座標（Ｘ２，Ｙ２）から両者の距離を計算し、距離がＸＸｋｍ以内か否かを判定する。この場合、受信局からＣＣＣ放送局の基地局までの距離はＸＸｋｍ以内であるので、ＣＣＣ放送局が受信可能な放送局として書き換え可能なメモリ１４にプリセットされる。
【００３７】
同様に、放送局情報テーブル１７から隣のＺ県にあるＥＥＥ放送局の基地局の座標（Ｘｅ，Ｙｅ）を取得し、その座標と現在位置座標（Ｘ２，Ｙ２）から両者の距離を算出する。この場合、受信局からＥＥＥ放送局の基地局までの距離はＸＸｋｍ以内であるので、Ｚ県のＥＥＥ放送局が受信可能な放送局として書き換え可能なメモリ１４にプリセットされる。
【００３８】
このように車両が現在走行中のＶ県の放送局に限らず、受信局から一定距離以内にある他県の放送局も受信可能な放送局としてプリセットすることができる。
次に、車両が一定距離走行して、受信局がＷ県の座標（Ｘ３，Ｙ３）の位置まで移動すると、上記と同様に、放送局情報テーブル１７に登録されている各放送局の基地局の座標が参照され、受信局から一定距離以内に存在する放送局が特定される。
【００３９】
放送局情報テーブル１７からＷ県にあるＦＦＦ放送局の基地局の座標（Ｘｆ，Ｙｆ）を取得し、その座標と現在位置座標（Ｘ３，Ｙ３）から両者の距離を算出し、距離がＸＸｋｍ以内か否かを判定する。この場合、受信局からＦＦＦ放送局の基地局までの距離はＸＸｋｍ以内であるので、ＦＦＦ放送局が受信可能な放送局として書き換え可能なメモリ１４にプリセットされる。
【００４０】
同様に、Ｚ県にあるＥＥＥ放送局の基地局の座標（Ｘｅ，Ｙｅ）と現在位置座標（Ｘ２，Ｙ２）から両者の距離を計算する。この場合、両者の距離はＸＸｋｍ以内であるので、Ｚ県のＥＥＥ放送局が受信可能な放送局として書き換え可能なメモリ１４にプリセットされる。
【００４１】
この場合、他の放送局の基地局までの距離はＸＸｋｍ以上であるので、それらの放送局はプリセットされない。
上述した実施の形態によれば、移動受信機１１の位置が変化する場合に、移動受信機１１の現在位置から一定距離以内に基地局が存在する放送局を、受信可能な放送局として自動的にメモリにプリセットすることができる。これにより、車両の移動により受信可能な放送局が変化する場合でも、デジタルテレビ放送の視聴を中断することなく、受信可能な放送局を自動的にメモリにプリセットすることができる。また、県単位等の予め定めたエリアに存在する放送局をプリセットするのではなく、移動受信機１１から一定距離以内にある放送局をプリセットしているので、例えば、車両が県境に近い位置に移動した場合に、同じ県内であっても受信局から距離が遠い放送局がプリセットされて、その放送局の信号を受信できないという問題を解決できる。
【００４２】
なお、受信可能な放送局を決める一定距離ＸＸｋｍは、ユーザが任意に設定しても良いし、移動受信機１１に予め一定値を設定しておいても良い。また、上述したプリセット処理は、車両が一定距離以上移動したとき、または車両が一定時間以上走行したときに実行される。プリセット処理は上記の条件以外で実行しても良い。
【００４３】
図４は、受信局が、図３の各座標にあるときに、書き換え可能なメモリ１４にプリセットされる放送局を示す図である。
受信局が、座標（Ｘ１，Ｙ１）の位置にあるときには、上述したプリセット処理により、図４（Ａ）に示す放送局がプリセットされる。つまり、半径ＸＸｋｍ以内にあるＡＡＡ放送局名とチャンネル番号「１３」と基地局座標（Ｘａ，Ｙａ）が対応付けてプリセットされる。また、半径ＸＸｋｍ以内にあるＢＢＢ放送局名とチャンネル番号「１５」と基地局座標（Ｘｂ，Ｙｂ）が対応付けてプリセットされる。さらに、半径ＸＸｋｍ以内にある、他県の放送局のＣＣＣ放送局名とチャンネル番号「１７」と基地局座標（Ｘｃ，Ｙｃ）が対応付けてプリセットされる。なお、書き換え可能なメモリ１４にプリセットするデータは、放送局を特定できるような情報（例えば、放送局名またはチャンネル番号など）であれば十分であり、基地局座標は保持しなくとも良い。
【００４４】
次に、受信局が座標（Ｘ２，Ｙ２）の位置に移動すると、上述したプリセット処理により、図４（Ｂ）に示す放送局がプリセットされる。つまり、半径ＸＸｋｍ以内にあるＣＣＣ放送局名とチャンネル番号「１７」と基地局座標（Ｘｃ、Ｙｃ）並びに、ＤＤＤ放送局名とチャンネル番号「１４」と基地局座標（Ｘｄ，Ｙｄ）が対応付けてプリセットされる。さらに、半径ＸＸｋｍ以内にある、他県の放送局のＥＥＥ放送局名とチャンネル番号「１８」と基地局座標（Ｘｅ，Ｙｅ）が対応付けてプリセットされる。
【００４５】
次に、受信局が座標（Ｘ３，Ｙ３）の位置に移動すると、上述したプリセット処理により、図４（Ｃ）に示す放送局がプリセットされる。つまり、ＸＸｋｍ以内にある他県の放送局のＥＥＥ放送局名とチャンネル番号「１８」と基地局座標（Ｘｅ，Ｙｅ）が対応付けてプリセットされる。また、同じＷ県の放送局のＦＦＦ放送局名とチャンネル番号「１９」と基地局座標（Ｘｆ，Ｙｆ）が対応付けてプリセットされる。
【００４６】
本発明は、上述した実施の形態に限らず、例えば、以下のように構成しても良い。
（１）本発明は、車載用の受信機に限らず、ＧＰＳ機能とデジタルテレビ放送の放送信号の受信機能を有する携帯電話等の携帯型の機器にも適用できる。
【図面の簡単な説明】
【００４７】
【図１】実施の形態の移動受信機のブロック図である。
【図２】移動受信機のプリセット処理のフローチャートである。
【図３】放送局のプリセット動作の説明図である。
【図４】プリセットされるデータの一例を示す図である。
【符号の説明】
【００４８】
１１        移動受信機
１２        チューナ
１３        書き換え不可能なメモリ
１４        書き換え可能なメモリ
１５        アンテナ
１６        カーナビゲーション装置
１７        放送局情報テーブル
【図１】
2009089280.tif 000003
【図２】
2009089280.tif 000004
【図４】
2009089280.tif 000005
【図３】
2009089280.tif 000006